(57)【特許請求の範囲】
【請求項１】
中空であって先端部にフランジを設けると共に基端部に雄ねじを設け内部に基端部に向う流れを阻止する逆止弁を設けたボディ管（２）と、管体の基端部に補修材の注入口を設けると共に先端部に雌ねじを設けたナット管（３）とからなり、上記ボディ管（２）に弾性チューブ（４）と該弾性チューブ（４）に隣接してスペーサー（５）を嵌合し、該スペーサー（５）から突出するボディ管（２）の雄ねじを上記ナット管（３）の雌ねじとねじ結合したものであって、ナット管（３）を回転してボディ管（２）の雄ねじ（２３）を該ナット管（３）内に進入させるとき、上記弾性チューブ（４）が上記スペーサー（５）の外側に乗り上げることを特徴とするコンクリート構造物の空隙箇所に補修材を注入するための注入器具。
【請求項２】
中空であって先端部にフランジを設けると共に基端部に雄ねじを設け内部に基端部に向う流れを阻止する逆止弁を設けたボディ管（２）と、管体の基端部に補修材の注入口を設けると共に先端部に雌ねじを設けたナット管（３）とからなり、上記ボディ管（２）に弾性チューブ（４）と該弾性チューブ（４）に隣接して当該弾性チューブ（４）の内径よりも大きな外径を有するスペーサー（５）を緩く嵌合し、該スペーサー（５）から突出するボディ管（２）の雄ねじを上記ナット管（３）の雌ねじとねじ結合したものであって、ナット管（３）を回転してボディ管（２）の雄ねじ（２３）内に進入させるとき、上記弾性チューブ（４）が上記スペーサー（５）の外側に乗り上げると共に、該弾性チューブ（４）の一部が裂けて当該スペーサー（５）と上記雄ねじ（２３）の隙間に入り込んで上記弾性チューブ（４）と上記スペーサー（５）が一体となることを特徴とするコンクリート構造物の空隙箇所に補修材を注入するための注入器具。
【請求項３】
スペーサー（５）は、少なくともナット管（３）と接合する端部が芯出し機能を有する形状に形成されていることを特徴とする請求項１又は２に記載のコンクリート構造物の空隙箇所に補修材を注入するための注入器具。
【請求項４】
逆止弁は、軸孔を閉塞する栓体（２５）を有し、該栓体（２５）がゴム等の弾性資材で形成されていることを特徴とする請求項１から３のいずれかに記載のコンクリート構造物の空隙箇所に補修材を注入するための注入器具。
【請求項５】
栓体（２５）は、該栓体（２５）の頂部に案内ピン（２５ａ）が形成されていることを特徴とする請求項４に記載のコンクリート構造物の空隙箇所に補修材を注入するための注入器具。
【発明の詳細な説明】
【０００１】
【発明の属する技術分野】
本発明は、コンクリート構造物における水漏れの原因となる空隙箇所に補修材を注入するための注入器具に関している。
【０００２】
【従来の技術】
コンクリートの打継ぎ部には僅かな隙間があり、又ひび割れによって隙間が発生すると該隙間を通って構造物の内側に水が侵入してくる。従来からコンクリート構造物に生じた空隙箇所に樹脂などによる補修材を注入して水漏れを防止する施策が行われている。
【０００３】
【発明が解決しようとする課題】
本発明は、コンクリート構造物に穿けた注入穴内に補修材を注入するための注入器具であって、補修材注入後に直ちに注入部を取り外しても注入した補修材が逆流して外部に流出しない注入器具を提供することを課題としている。
【０００４】
【課題を解決するための手段】
解決手段は、中空であって先端部にフランジを設けるとともに基端部に雄ねじを設け内部に基端部に向う流れを阻止する逆止弁を設けたボディ管と、管体の基端部に補修材の注入口を設けると共に先端部に雌ねじを設けたナット管とからなり、上記ボディ管に弾性チューブと該弾性チューブに隣接してスペーサーを嵌合し、該スペーサーから突出するボディ管の雄ねじを上記ナット管の雌ねじとねじ結合したものであって、ナット管を回転してボディ管の雄ねじを該ナット管内に進入させるとき、上記弾性チューブが上記スペーサーの外側に乗り上げることを特徴とするものである。
又、他の解決手段は、中空であって先端部にフランジを設けると共に、基端部に雄ねじを設け内部に基端部に向う流れを阻止する逆止弁を設けたボディ管と、管体の基端部に補修材の注入口を設けると共に先端部に雌ねじを設けたナット管とからなり、上記ボディ管に弾性チューブと該弾性チューブに隣接して当該弾性チューブの内径よりも大きな外径を有するスペーサーを緩く嵌合し、該スペーサーから突出するボディ管の雄ねじを上記ナット管の雌ねじとねじ結合したものであって、ナット管を回転してボディ管の雄ねじ内に進入させるとき、上記弾性チューブが上記スペーサーの外側に乗り上げると共に、該弾性チューブの一部が裂けて当該スペーサーと上記雄ねじの隙間に入り込んで上記弾性チューブと上記スペーサーが一体となることを特徴とするものである。
上記各構成において、スペーサーは、少なくともナット管と接合する端部が芯出し機能を有する形状に形成されていることを特徴とする。
又、上記各構成において、逆止弁は軸孔を閉塞する栓体を有し、該栓体がゴム等の弾性資材で形成されており、さらに栓体は、該栓体の頂部に案内ピンが形成されていることを特徴とするものである。
【０００５】
【発明の実施の形態】
図１は本発明の注入器具を示し、図２は注入器具の部品図を示し、図３は施工開始時を示し、図４は施工終了時を示し、図５は施工終了時における弾性チューブの変形状態を示し、図６は弾性チューブの変形状態を拡大した図である。図において、注入具１は、ボディ管２とナット管３と弾性チューブ４とスペーサー５とからなり、ボディ管２に弾性チューブ４とスペーサー５を嵌合してナット管３をねじ結合したものである。
【０００６】
ボディ管２は、中空の管体に形成されていて、軸部２０の先端部（補修材の射出側）にフランジ２１を設けると共に軸部２０とフランジ２１との間にテーパー部２２を形成している。又、軸部２０には雄ねじ２３を設けている。さらに又、ボディ管２に設けた軸孔２４は軸に沿って貫通しているが、フランジ２１の部分の軸孔は大径に形成されて弁収容室２４ａとしている。２５は弁収容室２４ａ内に収容した栓体であって、ゴム等による弾性資材で形成され、該弁収容室２４ａの開口端との間に装着したコイルばね２６とによって軸孔２４を閉塞する逆止弁を構成している。
【０００７】
フランジ２１には、軸部２０が突出する面に弾性チューブ４の空回りを防止するための複数個の突起２１ａを設けている。ただしナット管３を回転したときに弾性チューブ４がボディ管２と共に回転する空回り現象は、注入具１を挿入するコンクリート穴と弾性チューブ４との間に隙間があることが原因なので、注入具１を穴内に挿入するとき、弾性チューブ４の端部がスペーサー５に僅かに乗り上げる程度に締め付けておけば弾性チューブ４と穴の隙間がなくなり、この場合は突起２１ａがなくても空回りはしない。なお、弁収容室２４ａの開口端はコイルばね２６を収容した後、当該部分をかしめ止めしてコイルばね２６が脱落しないようにしている。
【０００８】
ナット管３は、管体３０の基端部（補修材の注入側）に注入口３１を設けると共に、先端部にボディ管２の雄ねじ２３とねじ結合する雌ねじ３２を設けたものである。又、管体３０の基端部には、注入口３１から補修材を注入する注入ガンを装着するための接続嘴３３を設け、さらに該接続嘴３３に隣接して断面六角形のナット部３４を設けている。さらに又、管体３０の先端部の端壁は周縁部が大径となる断面漏斗状の斜面３５を形成している。
【０００９】
弾性チューブ４は、ゴム等の弾性資材で形成され、ボディ管２にきつめに嵌合して密着する内径を有している。
【００１０】
スペーサー５は、ボディ管２の雄ねじ２３に緩く嵌合したものであって、両端部の断面形状を剣先状に形成してあり、一方の端部は弾性チューブ４の内径部に臨ませ、他方の端部は管体３０の斜面３５に臨ませている。又、スペーサー５は外径寸法を弾性チューブ４の内径よりも若干大きな寸法に形成している。スペーサー５は、端部が断面剣先状に形成されているので、ナット管３の斜面３５が接合すると当該スペーサー５はボディ管２と中心位置が一致し、これによってスペーサー５の芯出し効果が得られる。ただし実施例は、組立て作業を容易にするためスペーサー５の両端部を剣先状に形成している。
【００１１】
３６はナット管３の外側面に設けた目盛線であって、図３に示すように注入具１をコンクリート構造物６にあけた注入穴８に挿入する時の挿入深さの目安とするものである。又、ナット部３４はナット管３の基端部に設けているが、ナット管全部をナット形状にすることができる。
【００１２】
実施例の注入具を組み立てるには、まず、ボディ管２内に逆止弁を装着する。栓体２５にコイルばね２６を組み付けてボディ管２の先端部となるフランジ２１の弁収容室２４ａに挿入する。コイルばね２６は栓体２５を押圧して軸孔２４を閉塞する長さを有しており、ばねの脱落防止と押圧状態を維持するために弁収容室２４ａの開口部をかしめ止めする。
【００１３】
次に、ボディ管２に弾性チューブ４並びにスペーサー５を嵌合する。弾性チューブ４はボディ管２のフランジ２１に達するまで嵌合し、次いでスペーサー５を嵌合し、両者を嵌合した状態で雄ねじ２３がスペーサー５から突出する長さを有しているので、該雄ねじ５をナット管３の雌ねじ３２にねじ結合して図１に示す注入具とする。
【００１４】
図３はコンクリートの打継ぎ部を示しており、下部コンクリート６Ａの上方に上部コンクリート６Ｂが打ち継がれたものであって、打継ぎ部７には僅かな隙間が形成されている。図３に示す水漏れ防止工事は、コンクリートの打継ぎ部に樹脂等による補修材を注入するものであって、コンクリート構造物６の内側から打継ぎ部７に達する斜状の注入穴８をあける。なお、注入穴８の深さは、注入具１を挿入して目盛線３６が当該注入穴８の開口部と一致したときに、穴の底部とフランジ２１との間に注入した補修材を高圧のまま溜めておく圧力域９が打継部を貫通して形成できる深さとする。又、ひび割れ等に施工する場合は、注入穴を通常は壁面と垂直にあける。なお、穴の深さはひび割れに届くよう十分深くすることが望ましい。
【００１５】
注入穴８内に注入具１が挿入されたら、ナット管３を回転して当該注入具１を注入穴８に固定する。ナット管３を回転すると、ねじ結合されたボディ管２の雄ねじ２３がナット管３の雌ねじ３２内に進入するので、弾性チューブ４がフランジ２１によって軸方向に圧縮され、該弾性チューブ４の反対側の端部はスペーサー５の外側に乗り上げる。ナット管３の締め付けは、図５に示すように弾性チューブ４によってスペーサー５が全部隠れるか又はナット管３の先端部に若干乗り上げるまでがよい。
【００１６】
弾性チューブ４がボディ管２のフランジ２１によって押圧されると、当該チューブの一部は、図６に示すようにスペーサー５と雄ねじ２３の隙間に入り込む。すなわち、スペーサー５は雄ねじ２３に緩く挿嵌されているだけであるから、弾性チューブ４が軸方向に押圧されると一部が裂けてスペーサー５と雄ねじ２３の隙間に入り弾性チューブ４とスペーサー５が一体となって抜け止め効果が大きくなる。実施例において、スペーサー５の剣先状の端部がナット管３の斜面３５と接合してスペーサー５の芯出しがされていると、雄ねじ２３との隙間が均一になり弾性チューブ４が均等な厚さで入り込むことができる。
【００１７】
弾性チューブ４がスペーサー５の外側に乗り上げた状態で注入具１は注入穴８の内壁にしっかりと固定されたことになる。そこで、ナット管３の接続嘴３３に補修材を注入する注入ガン１０を装着し、注入口３１から止水効果がある樹脂などによる補修材を注入する。補修材はボディ管２の先端から射出して注入穴８からコンクリート構造物の空隙ないしは隙間へ供給される。なお、圧力域９に溜められた補修材は高圧力で供給されているので、打継ぎ部の空隙又はひび割れによる隙間に補修材を確実に充填させることができる。
【００１８】
補修材が注入穴８へ供給されればナット管３は直ぐに取り外すことができる（図４）。注入具１は弾性チューブ４がスペーサー５に乗り上げた状態で注入穴８の内壁に固定されているので、補修材が硬化する以前にナット管３を取り外しても弾性チューブ４は図５に示す状態を維持しており、注入された補修材が高圧力であっても弾性チューブ４と注入穴８の間から補修材が逆流することがない。またボディ管２に設けた逆止弁（２５，２６）は、栓体２５が弾性資材で形成されているから、仮に栓体２５と対応する受部が正しい漏斗状に形成されていないとしても軸孔２４を密閉しており、補修材が軸孔２４から逆流するのを阻止している。
【００１９】
図７は逆止弁の他の実施例を示しており、逆止弁の栓体２５に特徴がある。実施例は栓体２５の頂部に案内ピン２５ａを形成したものであり、該栓体２５を弁収容室２４ａに挿入したとき案内ピン２５ａを軸孔２４内に装着する。これによって、栓体２５は案内ピン２５ａをガイドとして前後進するので、安定した姿勢で弁収容室２４ａ内で作動することができることになる。
【００２０】
【発明の効果】
本発明の注入器具は、補修材を注入後に直ぐにナット管を取り外しても注入された補修材がコンクリート構造物の外部に流出することがないので、補修材注入後にナット管を取り外して次の作業を行うことができることの効果を有する。
又、スペーサーは、少なくともナット管と接合する端部が剣先状に形成されているので、スペーサーとボディ管の芯合わせができ、該スペーサーと雄ねじとの隙間を均一に保持するものである。
さらに又、逆止弁を構成する栓体は、弾性資材で形成されているので、仮に栓体と対応する受部が正しい漏斗状に形成されていないとしても、コイルばねによる押圧力と高圧力で供給された補修材の圧力によって軸孔を密閉しており、補修材が軸孔から逆流するのを阻止する。
この他、逆止弁の栓体は、頂部に案内ピンを設けたものであるから、当該案内ピンを軸孔内に挿入することで栓体を弁収容室で安定よく作動させることができる。
【図面の簡単な説明】
【図１】本発明の注入器具を示し、Ａは側面図、Ｂは断面図。
【図２】注入器具の部品を示す斜視図。
【図３】施工開始時を示す断面図。
【図４】施工終了時を示す断面図。
【図５】施工終了時における弾性チューブの変形状態を示す断面図。
【図６】図５におけるａ部の拡大詳細図。
【図７】逆止弁の他の実施例を示す斜視図と断面図。
【符号の説明】
１  注入具
２  ボディ管
３  ナット管
４  弾性チューブ
５  スペーサー
６  コンクリート構造物
７  打継ぎ部
８  注入穴
９  圧力域
１０  注入ガン
２０  軸部
２１  フランジ
２２  テーパー部
２３  雄ねじ
２４  軸孔
２４ａ  弁収容室
２５  栓体
２５ａ  案内ピン
２６  コイルばね
３０  ナット管
３１  注入口
３２  雌ねじ
３３  接続嘴
３４  ナット部
３５  斜面
３６  目盛線
【図１】
0003872947.tif 000002
【図２】
0003872947.tif 000003
【図３】
0003872947.tif 000004
【図４】
0003872947.tif 000005
【図５】
0003872947.tif 000006
【図６】
0003872947.tif 000007
【図７】
0003872947.tif 000008